(57)【要約】      （修正有）【課題】トリガー形式の噴出装置にあって、そのトリガーレバーに不本意触れてもて液体容器内の内容物を外部空間に噴出させる装置を提供する。【解決手段】噴出器本体１と、該本体に液体を噴射する噴射筒２を設け、この噴射筒の先端部を覆うキャップ体３を配する。【選択図】図１
0003161099.tif 000002
【実用新案登録請求の範囲】
【請求項１】
噴出器本体と、
該本体に設けられ液体を噴射する噴射筒を有し、
この噴射筒の先端部を覆うキャップ体を設けたこと
を特徴とするトリガー式噴出装置。
【考案の詳細な説明】
【考案の分野】
【０００１】本考案は容器に収容された、薬品、化粧品、殺虫剤、塗料などの液体を、トリガーレバーの操作で噴射あるいは泡射させる形式の噴出装置に関する。
【背景技術】
【０００２】一般的に上述のように、トリガー形式の噴出装置は、そのレバー動作によって噴出本体の液体噴出口を開くことにより、当該噴出口に連なる液体容器内の内容物を外部空間に噴出させるようになっているが、その搬送中の思わぬ不祥事でレバーが作動して内容物が溢出する恐れや、容器を取り付けたトリガー式噴霧器の螺筒が緩む恐れがあった。【０００３】そこで、噴霧器本体の噴出口側に配することにより、トリガーの引きよせを不可能にするストパーを設けた機構（特許文献１参照）や、容器を取り付けたトリガー式噴霧器の螺筒が緩む恐れを除去する手段としては、容器の肩部に設けた突出部に係合する回り止め片を設けた考案（特許文献２）がある。【０００４】
【特許文献１】実開平９−２９９８３７
【特許文献２】実開平６−５２９５１
【考案の概要】
【考案が解決しようとしている課題】
【０００５】本考案はかかるトリガー形式の噴出装置にあって、そのトリガーレバーに不本意触れてもて液体容器内の内容物を外部空間に噴出させる装置を提供することにある。
【課題を解決するための手段】
【０００６】而して本案トリガー式噴出装置の特徴は、噴出器本体と、該本体に設けられ液体を噴射する噴射筒を有し、この噴射筒の先端部を覆うキャップ体を設けたことにある。
【０００７】また、上記噴出器本体における噴射筒の先端部を覆い、かつその先端面を網面とした副キャップを備えたことも本案の特徴である。
【考案の効果】
【０００８】しかして本案噴出装置は、使用時はキャップ体を外し、その不使用時はキャップ体を噴射筒に嵌合させてあるから、万一トリガーレバーに不用意に触れるような事があっても、内容物が噴射筒より飛び出すような恐れはないし、噴射筒先端のノズル口は塞がれているので、該口を塵等が浸入したり詰まらせたりする恐れもない。
【０００９】また上記キャップ体を外し、上記噴射筒の先端部を覆う副キャップを嵌合させた場合、通常の内容物を噴射させた場合と異なり、噴射された内容物が網面に当たりこれを通過することによって、泡状となった内容物を溢出させることができるのである。
【図面の簡単な説明】
【００１０】
【図１】容器の下方を切除した噴出装置全体の斜視図で、不使用時のキャップを嵌合させた状態のもの。
【図２】同噴出装置全体の斜視図で、使用時のキャップを外した状態のもの。
【図３】縦断面状態のキャップを噴出筒に嵌合させた説明図。
【図４】他の実施例の噴出装置全体の斜視図で、使用時のキャップを被冠させた状態のもの。
【図５】トリガーレバーの縦断面説明図。
【図６】図５のＢ−Ｂ線縦断面説明図。
【図７】図５のＣ−Ｃ線縦断面説明図。
【図８】図５のＤ−Ｄ線横断面説明図。
【図９】キャップ体の正面図。
【図１０】同キャップ体の背面図。
【図１１】同キャップ体のＥ−Ｅ線縦断面説明図。
【考案を実施する為の形態】
【実施例１】
【００１１】図で（１）は本案トリガー式噴出装置の噴出器本体で、（２）は該本体（１）に設けられ液体を噴射する噴射筒である。そして（３）は、この噴射筒（２）の先端部を覆うように嵌合させたキャップ体である。【００１２】このキャップ体（３）と噴射筒（２）との嵌合手段は、両者の嵌合が容易に離脱しないよう構成すれば、いずれの手段を用いてもよい。例えば噴射筒（２）の先端部分よりやや後方に、環状の突起（６）を設け、この突起（６）と嵌合出来る環状溝（７）をキャップ体（３）の内面に刻設したような形状が一般的である。【００１３】上記噴射筒（２）の後方は、本案トリガー式噴出装置（８）に設けた容器（９）の液体内容物を、噴射筒（２）を介して外部に噴射させる機構に連なっている。なおこのトリガー式噴射器の詳細は省いた。それは従来衆知のトリガーレバー（１０）を用いた蓄圧方式の内容物放出機構が極一般的なもので、本案はそのいずれの機構のものでも実施できるのである。【００１４】よってこの実施例に示す本案噴霧装置は、その不使用時キャップ体（３）を被冠させておくものであるから、例え不使用時にトリガーレバー（１０）に触れても容器（９）内の内容物の噴出がキャップ体（３）によって阻止されているので、外部に噴射したり溢出したりする恐れはない。【００１５】なお、図１の様にキャップ体（３）の先端より後方の周囲に数個の突条（１１）を設け、該キャップ体（３）の被冠時は、トリガーレバー（１０）の表面部分がこれに当接するようになすと、搬送や他の動作中誤ってトリガーレバー（１０）に触れても、該トリガーレバー（１０）が動くような動作は阻止されるから、容器（９）の内容物が誤って噴射されるような恐れはない。
【実施例２】
【００１６】また図４に示したキャップ体（１２）は、先のキャップ体（５）を改良したもので、図１１に示すように噴射筒（２）の先端部に嵌合出来る蓋部（１３）と、その後方に連なり下辺部が開放（１４）された連結部（１５）からなる。【００１７】また、（１６）は図４および図９と図１０に見られるように、上記連結部（１５）の両外側面に突出させた水平な突条であり、（１７）は上記蓋部（１３）と連結部（１５）の接続部から外方向の上方に突出させた爪部材である。【００１８】さらに図５、図６および図８に見られるように、上記トリガレバー（１０）の先端上面部＜上記キャップ体（１２）を嵌合できる嵌合部＞の両側には、上記夫々の突条（１６）を嵌合させることができる水平溝（１８）がある。【００１９】よって、この実施例でキャップ体（１２）を被冠させた状態から、キャップ体（１２）を取り外すには、同キャップ体（１２）に設けた爪部材（１７）に爪を掛けて噴射筒（２）の先端方向に押せば、キャップ体（１２）はその突条（１６）と水平溝（１８）に案内され、容易に噴射筒（２）からキャップ体（１２）を取り外すことができるであって、トリガレバー（１０）を引けば容器（９）内の液体を、噴射筒（２）を介して噴射させることができる。【００２０】さらに不使用時は上記キャップ体（１２）の開放（１４）部から、キャップ体（１２）を噴射筒（２）側に挿入し、キャップ体（１２）の突条（１６）を、トリガレバー（１０）の水平溝（１８）に嵌合させて固定すれば、仮令トリガレバー（１０）に不用意に触れてもその回動運動が阻止されているので、容器（９）の液体が噴射筒（２）により噴射させる恐れを未然に防止できるのである。
【産業上の利用の可能性】
【００２１】本考案は、薬品、化粧品、芳香剤、消臭剤などの液体を噴射あるいは噴霧させる噴出装置に適用できる。
【符号の説明】
【００２２】１、噴出器本体
２、噴射筒
３、１２、キャップ体
６、環状の突起
７、環状溝
８、トリガー式噴出装置
９、容器
１０、トリガーレバー
１１、突起
１３、間隔
１４、開放
１５、連結部
１６、突条
１７、爪部材
１８、水平溝
【図１】
0003161099.tif 000003
【図２】
0003161099.tif 000004
【図３】
0003161099.tif 000005
【図４】
0003161099.tif 000006
【図５】
0003161099.tif 000007
【図６】
0003161099.tif 000008
【図７】
0003161099.tif 000009
【図８】
0003161099.tif 000010
【図９】
0003161099.tif 000011
【図１０】
0003161099.tif 000012
【図１１】
0003161099.tif 000013